(57)【要約】【課題】雄実部分を釘、ステープル等の固定手段で熟練の技術を要することなく固定し、床材の実結合部どうしを作業性よく実結合させ、隣接する床板どうしを隙間なく敷き詰めてフローリング施工ができる床材の実結合構造を提供する。【解決手段】実結合により結合する床材において、雄実基部３上面で該床材端面に沿って凹溝４を形成し釘打ち部とするとともに、雄実基部３下面で上記釘打ち部に対応した位置に支持台部３１を形成してなる床材の実結合構造。好ましくは、床材１の端縁垂直部にＶ字溝部５が長手方向に延設される。【選択図】図１
2012001946.tif 000002
【特許請求の範囲】
【請求項１】
実結合により結合する床材において、雄実基部上面で該床材端面に沿って凹溝を形成し釘打ち部とするとともに、雄実基部下面で上記釘打ち部に対応した位置に支持台部を形成してなる床材の実結合構造。
【発明の詳細な説明】
【技術分野】
【０００１】
本願発明は床材の実結合構造に関し、さらに詳しくは、フローリング用床材の長手方向側端部に設けられる実結合の構造に関するものである。
【背景技術】
【０００２】
建築用床材、とくに木質系材料からなる床材は加工がし易く、また通気性、透湿性に優れ、調湿機能を有する等の有利性から、種々の建築材料、特に、フローリング材の分野で使用されることが多い。上記木質系材料としては、近年、無垢の木材の入手が困難となってきていることから、合板、集成材、中密度繊維板（ＭＤＦ）、チップボード、パーティクルボード等、種々の木質基材に突き板を貼着したり、木目模様の化粧紙を接着する等、表面化粧したものが広く床材として使用されている。
【０００３】
上記した木質系材料を床材の基材として用いる場合、通常、複数枚の床材の、おのおの長手方向の左右側端部に設けられた実結合部どうしをしっかりと実結合させ、隣接する床板どうしを隙間なく敷き詰めてフローリングを施工する。
【０００４】
上記釘固定は、例えば雄実上部から斜め中方向へ向けて概ね４５°の角度で釘、ステープル等の固定手段を打ち込む必要があり、このとき、釘打ち角度が振れると床材表面側が盛り上がる現象が生じたり、床材の木質基材に中密度繊維板（ＭＤＦ）やチップボード等の脆い材料を使用した場合、釘打ちの衝撃や釘自体の進入によって雄実が割れて床材が使用不能となる場合もあった。そのため、床材を床下地に作業効率よく釘固定を行うためには、熟練した作業者の技を必要としていた。
【０００５】
一方、特開２００９−３０２７１号公報には、複数枚の単板を積層した合板部の表面に中密度繊維板を張り合わせた床板の基材の周端部に、雄実部と雌実部とを該合板部に形成し、該床板を敷設したときに隣接する床板の雄実部と雌実部とを接合した床板の接合構造において、該床板の中密度繊維板と合板とにまたがるように凹溝を該雄実部と雌実部との上部であって該周端部の長手方向に沿って形成してなる床板の接合構造が開示されている。
【０００６】
そして、合板部と中密度繊維板とを一体的に張り合わせた床板基材を用いて床板が構成されているため、施工後に床板同士の接合部から水等が浸入したときに中密度繊維板の伸張等による床板の変形を防止し、安全性を確保することができる床板の接合構造が提供できると記載されている。
【先行技術文献】
【特許文献】
【０００７】
【特許文献１】特開２００９−３０２７１号公報
【発明の概要】
【発明が解決しようとする課題】
【０００８】
本願発明は、上記背景技術に鑑みてなしたものであり、その目的は、木質系基材を用いた床材を床下地に敷設し、雄実部分を釘、ステープル等の固定手段で熟練の技術を要することなく固定できるとともに、上記床材の長手方向の左右側端部に設けられた実結合部どうしをしっかりと実結合させ、隣接する床板どうしを隙間なく敷き詰めて作業性よくフローリングの施工ができる床材の実結合構造を提供することである。
【課題を解決するための手段】
【０００９】
上記課題を解決するために、本願請求項１に記載の発明に係る床材の実結合構造は、実結合により結合する床材において、雄実基部上面で該床材端面に沿って凹溝を形成し釘打ち部とするとともに、雄実基部下面で上記釘打ち部に対応した位置に支持台部を形成してなることを特徴としている。
【００１０】
上記床材としては、合板、集成材、中密度繊維板（ＭＤＦ）、チップボード、パーティクルボード等、種々の木質基材に突き板を貼着したり、木目模様の化粧紙を接着する等、表面化粧して洋間のフローリングに適するようにデザインされたものが好ましく用いられる。
【発明の効果】
【００１１】
本願請求項１記載の発明に係る床材の実結合構造においては、実結合により結合する床材において、雄実基部上面で該床材端面に沿って凹溝を形成し釘打ち部としていることにより、釘、ステープル等の固定手段を打設する位置が一目でわかり、段取りよくフローリングの施工に取り掛かることができるため作業性が向上する。
【００１２】
また、釘打ちによって固定する場合、上記凹溝から単に垂直に釘を打ち込むだけでよいため、従来、斜め方向に釘を打つ熟練を要する作業であった雄実の固定作業が習熟度の浅い作業者でも可能となり、作業効率よくフローリングを施工できる。
【００１３】
さらに、雄実基部下面で上記釘打ち部に対応した位置に支持台部が形成されているため、支持台部が釘打ち作業の衝撃で雄実部が破壊されることを防ぎ、しっかりと支持、補強する。このようにすることにより、床材の基材として中密度繊維板（ＭＤＦ）、チップボード等、比較的脆い材料を用いた場合であっても、しっかりと実結合することが可能となり、隣接する床板どうしを隙間なく敷き詰めてフローリングすることができる。
【図面の簡単な説明】
【００１４】
【図１】（ａ）は本願発明の床材の実結合構造に係る雄実と雌実とを示す一部断面図、（ｂ）は本願発明に係る床材の実結合構造を用いて実結合した状態を示す一部断面図。
【発明を実施するための形態】
【００１５】
以下、本願発明に係る床材の実結合構造の実施形態について図面を参照して詳細に説明する。本実施形態においては、中密度繊維板（ＭＤＦ）の表面を木目模様で化粧したフローリング用の床材について説明する。
【００１６】
図１（ａ）は、隣接する２枚の床材の側端に設けられた本願発明の床材の実結合構造に係る雄実Ａと雌実Ｂとを示す一部断面図である。図１（ａ）に示すように、雄実Ａは床材１の垂直面１１から突き出す雄実部２を含んでなるとともに、雄実部２が突出する基部は雄実基部３とされ、雄実基部３の上面で上記垂直面１１に沿って深さｈの凹溝４が床材１の側端長手方向に延設されている。
【００１７】
また、雄実部２側の床材１の上端縁は斜め約４５°で前側に傾斜させて化粧溝面１２とされ、さらに雄実部２の上端部は面取りをされて上部面取り部２１が設けられ、下端部も同様に面取りをされて下部面取り部２２が設けられている。
【００１８】
床材１の他端側に形成された雌実Ｂは雌実上片６と雌実下片７とからなり雌実部８に上記雄実部２が嵌合してしっかりと実結合する。ここで、上記雌実上片６は雌実下片７よりも突出して設けられるとともに、上記雌実上片６の下部は斜めに切り欠かれてテーパ面６１とされている。また、雌実上片６の上端縁は斜め前下方に傾斜させて化粧溝面６２とされ、上記雄実部２側の床材１の上端に設けられた化粧溝面１２と共同して断面略Ｖ字形の化粧溝を形成する。
【００１９】
上記雄実基部３の上面に設けられた凹溝４の深さｈは０．５〜５．０ｍｍの範囲とされ、凹溝４の幅ｗは０．５〜４．０ｍｍとされる。図１（ａ）においては、固定具として用いられた釘９が床下地Ｇに打ち込まれ、このようにして、床材は床下地Ｇにしっかりと固定される。
【００２０】
このとき、釘９は従来のように概ね４５°の角度をつけて斜めに打ち込むことなく、単に垂直に打ち込むだけであるため、比較的習熟の浅い作業者でも容易に釘打ちが可能となり雄実部２を傷つけることなく、作業性よくフローリングの施工を行うことができる。
【００２１】
一方、雄実部２の下部は上記床材１の垂直面１１から０．５〜８．０ｍｍ突出させ、上記凹溝４の釘打ち部分に対応する位置に支持台部３１が形成されている。この支持台部３１は釘打ち時の衝撃で雄実部２が破壊されないように補強するとともに、雄実部２をしっかりと支持する。
【００２２】
また、上記床材１の端縁垂直部にはＶ字溝部５が長手方向に延設されている。このＶ字溝部５は釘打ち時に釘９の進入角度が不適切な場合に床材１端部に膨れを生じさせる力が発生する場合にこの膨れを生じさせる力吸収し、釘打ちの影響で表面が浮き上がる等の現象を防ぐことができるものである。さらに、湿気、気温等によって雄実Ａが伸縮する際の緩衝空間としても機能する。
【００２３】
図１（ｂ）は本願発明の床材の実結合構造に係る雄実Ａと雌実Ｂとを実結合した状態を示す断面図である。図１（ｂ）に示すように、上記のように構成された雄実Ａを、凹溝４から垂直に釘９を打ち込むことによって床下地Ｇにしっかりと固定し雌実部８に嵌合する。このとき、雄実部２に設けられた上部面取り部２１と下部面取り部２２とはガイドの役割を果たしスムーズに雌実部８と嵌合することができる。
【００２４】
仮に釘９の頭が凹溝４に納まり切らない場合、上記雌実上片６の下部に設けられたテーパ面６１は釘頭を納めるスペースを形成するとともに、上部面取り部２１と共同して上記嵌合がスムーズに行えるためのガイドとしても機能する。
【００２５】
このようにして、隣接する床板どうしはしっかりと結合され、床材の基材として中密度繊維板（ＭＤＦ）、チップボード等、比較的脆い材料を用いた場合でも、支持台部３１が釘打ち時の衝撃で雄実部２が破壊されることを防ぎ、しっかりと補強するため、合板と同様にこれらの材料を使用することができる。
【００２６】
以上述べたように、本願発明の床材の実結合構造を実施することにより、従来斜め方向に釘を打つ熟練を要する作業であった雄実Ａの固定作業が、垂直に釘打ちをする単純作業とすることが可能となった。そして、習熟度の浅い作業者でも作業効率よくフローリングを施工でき、かくして隣接する床板どうしをしっかりと結合できるとともに、断面略Ｖ字形の化粧溝を有する意匠性に優れたフローリングを得ることができる。
【００２７】
なお、上記実施形態は床材として中密度繊維板（ＭＤＦ）に突き板等を貼着して木目模様に表面化粧したフローリング材を用いた場合について述べたが、中密度繊維板（ＭＤＦ）のみならず、合板、集成材、チップボード、パーティクルボード等、種々の木質基材に表面化粧を施したものを用いてもよい。このように本願発明に係る床材の実結合構造は設計変更自在であり、特許請求の範囲を逸脱しない限り、いずれの場合も本願発明の技術的範囲に属する。
【符号の説明】
【００２８】
Ａ      雄実
Ｂ      雌実
Ｇ      床下地
ｈ      凹溝の深さ
ｗ      凹溝の幅
１      床材
１１    垂直面
１２    化粧溝面
２      雄実部
２１    上部面取り部
２２    下部面取り部
３      雄実基部
３１    支持台部
４      凹溝
５      Ｖ字溝部
６      雌実上片
６１    テーパ面
６２    化粧溝面
７      雌実下片
８      雌実部
９      釘
【図１】
2012001946.tif 000003